(57)【要約】【課題】各部屋を確実に換気しつつ、配管を節約して設置コストを低減できる換気構造を提供すること。【解決手段】外気導入路１２を通じて換気ユニット本体１１に導入された外気が外気供給路１３を通じて建物内部に供給され、内気回収路１５を通じて換気ユニット本体に回収された内気の一部が内気排出路１４を通じ、残りの内気が個別排出路１８を通じて各々屋外に排出されるから、各部屋内の隅々までくまなく換気ができるとともに、各部屋から換気ユニット本体１１までのダクトを省略し、換気構造の設置コストを低減できる。また、階段２１の下側空間２２に設置した換気ユニット本体１１の外気供給口１６を階段２１の上側空間１Ｈに開口して設けたことにより、上下の階の各部屋に効率よく外気を行き渡らせることができ、換気効率の向上を図ることができる。【選択図】　図１
2004076993.tif 000002
【特許請求の範囲】
【請求項１】
建物内に設けられた換気ユニットで複数の部屋の換気を行う換気構造であって、
前記換気ユニットは、換気ユニット本体と、屋外の空気を前記換気ユニット本体に導入する外気導入路と、導入された外気を建物内部に供給する単一の外気供給路と、この外気供給路に連結され、前記建物内の所定の空間に開口した外気供給口と、前記建物内部の空気を前記換気ユニット本体に回収する単一の内気回収路と、この内気回収路に連結され前記外気供給口から離れた位置で所定の空間に開口した内気回収口と、回収された内気を屋外に排出する内気排出路とを有し、前記建物内には階段が設けられ、この階段により上下に区切られた空間のうち、下側空間に前記換気ユニット本体が収納され、上側空間に開口して前記外気供給口が設けられており、
前記複数の部屋はそれぞれ前記上側空間に連通可能とされ、かつ前記複数の部屋のうち少なくとも１つは部屋の内気を屋外に排出可能な個別排出路を備えていることを特徴とする換気構造。
【請求項２】
請求項１に記載の換気構造において、
前記個別排出路は、前記複数の部屋のうち前記内気回収口が設けられた部屋を除く全ての部屋に設けられていることを特徴とする換気構造。
【請求項３】
請求項１または請求項２に記載の換気構造において、
前記換気ユニット本体は、前記階段の下側空間の中で、当該階段の踊り場の下方に収納され、
前記踊り場に開口して前記換気ユニット本体を点検するための点検口が設けられていることを特徴とする換気構造。
【請求項４】
請求項１または請求項２に記載の換気構造において、
前記階段の下側空間は、第１の下側空間と第２の下側空間とに仕切られており、
前記第１の下側空間に前記換気ユニット本体が収納され、前記第２の下側空間に開口して前記換気ユニット本体を点検するための点検口が設けられていることを特徴とする換気構造。
【請求項５】
請求項１ないし請求項４のいずれかに記載の換気構造において、
前記外気供給口は、前記階段の蹴込みに設けられていることを特徴とする換気構造。
【請求項６】
請求項１ないし請求項５のいずれかに記載の換気構造において、
前記内気回収口は、浴室、トイレ、洗面所、キッチン、リビングのうちのいずれかに設けられていることを特徴とする換気構造。
【請求項７】
請求項１ないし請求項６のいずれかに記載の換気構造において、
前記換気ユニット本体は、前記内気回収路を通じて回収された内気と前記外気導入路を通じて導入された外気との間で熱交換を行う熱交換機能を備えていることを特徴とする換気構造。
【発明の詳細な説明】
【０００１】
【発明の属する技術分野】
本発明は、セントラル換気方式により建物内部の複数の部屋を換気する換気構造に関する。
【０００２】
【背景技術】
図８は、セントラル換気方式により建物内部の複数の部屋を換気する、従来の換気構造が適用された建物の概略模式図を示すものである（特開２０００−３２９３９５号公報の図７）。
従来の換気構造におけるセントラル換気装置１００は、１階の天井部分に大型の換気ユニット本体１１０を１台設置して、建物内に設けられた全ての部屋を換気するものである。
すなわち、セントラル換気装置１００は、１階の天井裏部分つまり２階の床下部分に設置された強制的に空気の流れを形成する１台の大型の換気ユニット本体１１０と、建物の外部の新鮮な空気を部屋内に取り入れるために建物の外部から換気ユニット本体１１０に連通する外気導入配管１２０と、この外気導入配管１２０から導入された空気を換気ユニット本体１１０を介して建物の部屋内に供給する外気供給配管１３０，１５０，１４０とを備えている。
【０００３】
外気供給配管は、１階の各部屋に空気を供給するための１階用外気供給配管１３０と、２階の各部屋に空気を供給するための２階用外気供給配管１４０と、この２階用外気供給配管１４０と１階用外気供給配管１３０とを連結する縦配管１５０とから構成されている。
また、セントラル換気装置１００は、部屋内の空気を換気ユニット本体１１０に回収するために１階天井の略中央から換気ユニット本体１１０に向かって通ずる１本の内気回収配管１６０と、この内気回収配管１６０により部屋内から回収された空気を屋外に排出するために屋外と換気ユニット本体１１０との間に通ずる内気排出配管１７０とを備えている。
【０００４】
このようなセントラル換気装置１００を用いた換気構造によれば、屋外の新鮮な空気が、建物内の各部屋内に吹き出して、各部屋内を通って建物１階の略中央から回収されるので、風量が少なくとも、各部屋内の隅々までくまなく換気ができるという効果がある。
【０００５】
【発明が解決しようとする課題】
しかし、上記した従来のセントラル換気装置１００は、建物の外部から換気ユニット本体１１０まで延び、外気を導入する外気導入配管１２０および内気を排出する内気排出配管１７０や、各部屋に外気を供給するための外気供給配管１３０，１４０や１階と２階との配管の間を連結するための縦方向に延びる縦配管１５０を形成しなければならず、配管の設置コストが増大するという問題がある。
【０００６】
本発明の目的は、各部屋を確実に換気しつつ、配管を節約して設置コストを低減できる換気構造を提供することにある。
【０００７】
【課題を解決するための手段】
上記目的を達成するため、本発明の換気構造は、次の構成を採用する。
本発明を図面を参照して説明すると、請求項１に記載の換気構造は、建物１内に設けられた換気ユニット１０で複数の部屋の換気を行う換気構造であって、前記換気ユニットは、換気ユニット本体１１と、屋外の空気を前記換気ユニット本体に導入する外気導入路１２と、導入された外気を建物内部に供給する単一の外気供給路１３と、この外気供給路に連結され、前記建物内の所定の空間に開口した外気供給口１６と、前記建物内部の空気を前記換気ユニット本体に回収する単一の内気回収路１５と、この内気回収路に連結され前記外気供給口から離れた位置で所定の空間に開口した内気回収口１７と、回収された内気を屋外に排出する内気排出路１４とを有し、前記建物内には階段２１が設けられ、この階段により上下に区切られた空間のうち、下側空間２２に前記換気ユニット本体が収納され、上側空間１Ｈに開口して前記外気供給口が設けられており、
前記複数の部屋はそれぞれ前記上側空間に連通可能とされ、かつ前記複数の部屋のうち少なくとも１つは部屋の内気を屋外に排出可能な個別排出路１８を備えていることを特徴とする。
【０００８】
なお、ここで、「外気導入路、外気供給路、内気回収路および内気排出路」とは、所定長さを有する管で構成されたものに限らず、開口のみで構成された管を有しないものも含まれる。
また、「単一の」とは、実質的に単一の意であり、その全長に亘って１本の管で構成されるものに限らず、部屋内側端部近傍で枝分かれすることにより、１つの部屋に複数の端部開口が設けられているものや、複数の部屋に各々端部開口が設けられているものも含まれる。
また、「外気供給口から離れた位置」とは、同一の部屋内における離れた位置でもよく、また、外気供給路の外気供給口が設けられた部屋と異なる部屋であってもよい。
【０００９】
この発明によれば、屋外の新鮮な空気は、外気導入路を通じて換気ユニット本体に導入された後、外気供給路を通じて建物内部に供給される。一方、建物内部の空気は、その一部が単一の内気回収路を通じて換気ユニット本体に回収されるとともに、回収されなかった残りの空気は、個別排出路を通じて屋外に排出される。
よって、外気供給路から供給された新鮮な外気は、建物内の各部屋に流れ込んだ後、内気回収路または個別排気路に吸い込まれて排出されるから、風量が少なくとも、各部屋内の隅々までくまなく換気ができるとともに、個別排出路が設けられた部屋の内気の一部が個別に排出されるので、各部屋から換気ユニット本体までのダクトを省略し、換気構造の設置コストを低減することができる。
また、換気ユニット本体を階段の下側空間に設置し、外気供給口を階段の上側空間に開口して設けたことにより、通常デッドスペースとなる階段の下側空間を有効に利用できるとともに、上下の階に連通する階段室に外気を供給することで、上下の階の各部屋に効率よく外気を行き渡らせることができ、換気効率の向上を図ることができる。
【００１０】
請求項２に記載の換気構造は、請求項１に記載の換気構造において、前記個別排出路は、前記複数の部屋のうち前記内気回収口が設けられた部屋を除く全ての部屋に設けられていることを特徴とする。
この発明によれば、個別排出路を内気回収口が設けられた部屋を除く全ての換気対象となる部屋に設けたので、内気回収路または個別排出路によって部屋の内気が確実に排出されるから、換気対象となる全ての部屋を確実に換気できる。
【００１１】
請求項３に記載の換気構造は、請求項１または２に記載の換気構造において、前記換気ユニット本体は、前記階段の下側空間の中で、当該階段の踊り場２１Ａの下方に収納され、前記踊り場に開口して前記換気ユニット本体を点検するための点検口４１が設けられていることを特徴とする。
この発明によれば、換気ユニット本体を踊り場の下側に収納し、踊り場に開口する点検口を設けたことにより、踊り場の下側は所定の平面的な広がりを有しているため換気ユニット本体を設置しやすいとともに、踊り場から点検できるので、換気ユニット本体の取り付けおよびメンテナンスが容易にできる。
【００１２】
請求項４に記載の換気構造は、請求項１または２に記載の換気構造において、前記階段の下側空間は、第１の下側空間２２Ａと第２の下側空間１Ｆとに仕切られており、前記第１の下側空間に前記換気ユニット本体が収納され、前記第２の下側空間に開口して前記換気ユニット本体を点検するための点検口５１が設けられていることを特徴とする。
この発明によれば、階段の下側空間を仕切って、一方に換気ユニット本体を収納し、他方側に開口する点検口を設けたことにより、換気ユニット本体を収納する空間以外の空間をトイレや収納空間として有効に利用できるとともに、この空間から換気ユニット本体を点検することで、メンテナンスがさらに容易にできる。
【００１３】
請求項５に記載の換気構造は、請求項１ないし請求項４のいずれかに記載の換気構造において、前記外気供給口は、前記階段の蹴込み２３に設けられていることを特徴とする。
この発明によれば、階段の蹴込みに外気供給口を設けたことにより、外気供給口を壁面等に設置する場合と比較し、階段と一体的に目立たず設置できるとともに、階段の下側空間に収納された換気ユニット本体からの距離が短いので、外気供給路の長さを短縮でき、配管をさらに節約できる。
【００１４】
請求項６に記載の換気構造は、請求項１ないし請求項５のいずれかに記載の換気構造において、前記内気回収口は、浴室１Ｅ、トイレ１Ｆ、洗面所１Ｄ、キッチン１Ｂ、リビング１Ａのうちのいずれかに設けられていることを特徴とする。この発明によれば、内気回収口を、浴室、トイレ、洗面所、キッチン、リビングのうちのいずれか、すなわち、湯気の発生や居住者の呼気等により湿度が高い場所に設けたので、内気回収路を通じて回収される空気の量を調節することによって高湿度な空間を容易に換気して、快適な居住空間を実現できる。
【００１５】
請求項７に記載の換気構造は、請求項１から６のいずれかに記載の換気構造において、前記換気ユニット本体は、前記内気回収路を通じて回収された内気と前記外気導入路を通じて導入された外気との間で熱交換を行う熱交換機能１９を備えていることを特徴とする。
ここで、「熱交換」には、屋外に排出される内気と建物内部に供給される外気とを直接混合させることなく、顕熱と潜熱を同時に交換する全熱交換式のものや顕熱のみを交換する顕熱交換式のものが含まれる。なお、顕熱とは、相変化や化学変化を伴わずに温度変化だけに消費される熱をいい、潜熱とは、主に空気中の水分が温度を変えずに相変化した際に消費される熱をいう。
【００１６】
この発明によれば、換気ユニット本体に回収された内気は、換気ユニット本体内部において、外気導入路を通じて導入された外気と熱交換を行った後、屋外に排出される。例えば、建物内部を暖房した状態において、建物内部から回収された暖かい内気は、熱交換により熱が吸収され、その吸収された熱は、屋外から導入された冷たい外気に加えられる。これにより、建物内部には、屋外より温度が上げられた外気が供給されることとなる。一方、建物内部を冷房した状態において、屋外から導入された暖かい外気は、熱交換により熱が吸収され、この吸収された熱は、建物内部から回収された冷たい内気に加えられる。これにより、建物内部には、屋外より温度が下げられた外気が供給されることとなる。
したがって、内気回収路を通じて換気ユニット本体に回収された内気と、外気導入路を通じて導入された外気との間で熱交換を行うことにより、適切な温度に調節された外気を建物内に供給できるから、快適な居住空間を実現できる。
【００１７】
【発明の実施の形態】
以下、本発明の実施の形態を図面に基づいて詳しく説明する。
図１ないし図５に、本発明の第１実施形態に係る換気構造を示し、図６および図７に、本発明の第２および第３実施形態に係る換気構造を示す。なお、各実施形態において同一構成要素は同一符号とし説明を省略あるいは簡略化する。
【００１８】
〔第１実施形態〕
図１には、第１実施形態に係る換気構造が適用された建物としての一戸建て住宅１の断面図が示されている。
住宅１は、断熱性能および気密性能に優れた２階建の高断熱・高気密住宅であって、住宅１の１階および２階の複数の部屋の換気を行う換気ユニット１０を備えている。
換気ユニット１０は、１階および２階を連通する階段２１の踊り場２１Ａの下側に設置された換気ユニット本体１１と、この換気ユニット本体１１と屋外または建物内部とを連通する筒状の配管１２〜１５とを備えている。
【００１９】
換気ユニット１０の配管は、外気導入路としての外気導入配管１２と、外気供給路としての外気供給配管１３と、内気回収路としての内気回収配管１５と、内気排出路としての内気排出配管１４とを含んで構成されている。
外気導入配管１２は、住宅１の外部の空気（外気）を建物内部に導入するために、住宅１の外部から換気ユニット本体１１まで延び、屋外空間と換気ユニット本体１１とを連通している。
外気供給配管１３は、住宅１の内部の１箇所から換気ユニット本体１１まで延び、建物内部と換気ユニット本体１１とを連通し、建物内部側には外気供給口としての吹き出し口１６が設けられている。
内気回収配管１５は、住宅１の内部の１箇所から換気ユニット本体１１まで延び、建物内部と換気ユニット本体１１とを連通し、建物内部側には内気回収口としての吸い込み口１７が設けられている。
内気排出配管１４は、住宅１の内部の空気（内気）を建物外部に排出するために、換気ユニット本体１１から住宅１の外部まで延び、換気ユニット本体１１と屋外空間とを連通している。
【００２０】
また、１階および２階には複数の部屋が設けられ、これらの部屋は、各々吹き出し口１６に連通可能とされ、かつ、部屋の内気を屋外に排出する個別排出路としての排気ファン１８を備えている。
【００２１】
図２には、住宅１の１階部分の平面図が示されている。
図２において、１階部分には、図中下方にリビング・ダイニングルーム１Ａが設けられ、リビング・ダイニングルーム１Ａの図中上方左側にキッチン１Ｂが設けられ、リビング・ダイニングルーム１Ａの図中上方右側に玄関１Ｃが設けられている。そして、玄関１Ｃの図中上方には、洗面所１Ｄと、浴室１Ｅとが並んで設けられている。キッチン１Ｂと浴室１Ｅとの間には、１階階段室１Ｈおよびトイレ１Ｆが設けられている。この１階階段室１Ｈからリビング・ダイニングルーム１Ａへ向かって延びる廊下１Ｇが設けられている。
【００２２】
ここで、吹き出し口１６は、階段２１の上側空間としての１階階段室１Ｈに開口して設けられ、この１階階段室１Ｈに、廊下１Ｇ、キッチン１Ｂ、玄関１Ｃ、および洗面所１Ｄが連通されている。また、リビング・ダイニングルーム１Ａおよびトイレ１Ｆは、それぞれ出入口の扉の上部あるいは下部に設けられた通気口を介して、廊下１Ｇに連通されている。浴室１Ｅは、出入口の扉の上部あるいは下部に設けられた通気口を介して、洗面所１Ｄに連通されている。
【００２３】
また、換気ユニット１０の換気ユニット本体１１は、１階階段室１Ｈの踊り場２１Ａの床下に収納されている。吸い込み口１７は、浴室１Ｅに開口して設けられている。吸い込み口１７から換気ユニット本体１１まで延びる内気回収配管１５は、浴室１Ｅと１階階段室１Ｈとを仕切る壁の内部を通って配設されている。リビング・ダイニングルーム１Ａおよびキッチン１Ｂには、廊下１Ｇに通じる開口または扉からできるだけ離れた位置になるように排気ファン１８が設けられている。
【００２４】
図３には、住宅１の２階部分の平面図が示されている。
図３において、２階部分には、２つの副寝室２Ａ，２Ｂが図中下方左右に並んで設けられている。副寝室２Ａ，２Ｂの図中上部には、クローゼット２Ｃ，２Ｄが設けられている。クローゼット２Ｄの図中上方には、主寝室２Ｅが設けられている。クローゼット２Ｃの図中上方には、トイレ２Ｇおよび納戸２Ｆが設けられ、納戸２Ｆと主寝室２Ｅとの間には、２階階段室２Ｈが設けられている。
【００２５】
ここで、２階階段室２Ｈは、１階階段室１Ｈに連通されており、副寝室２Ａ，２Ｂ、クローゼット２Ｃ，２Ｄ、主寝室２Ｅ、納戸２Ｆ、およびトイレ２Ｇは、それぞれ出入口の扉の上部あるいは下部に設けられた通気口を介して、２階階段室２Ｈに連通されている。
主寝室２Ｅ、納戸２Ｆ、およびトイレ２Ｇには、２階階段室２Ｈに通じる開口または扉からできるだけ離れた位置になるように排気ファン１８が設けられている。また、クローゼット２Ｃ，２Ｄにも、排気ファン１８が設けられている。
【００２６】
図４は、換気ユニット１０の設置状態を示す階段２１の斜視図である。
図５は、吹き出し口１６まわりを拡大して示す断面図である。
図４および図５において、階段２１は１階から２階へ通じる折返し階段であり、途中部分に踊り場２１Ａが設けられている。踊り場２１Ａには、階段２１の段数を増やして傾斜を緩やかにするために１段分の段が設けられている。なお、図４においては、踊り場２１Ａから２階へ通じる部分の段、および階段２１に隣接して配置されるトイレ１Ｆの壁について図示を省略した。
【００２７】
換気ユニット本体１１は、階段２１の下側空間２２である踊り場２１Ａの床板２１Ｂの下側に収納されている。踊り場２１Ａの床板２１Ｂには、換気ユニット１０を点検するための点検口４１が設けられており、通常の生活時においては、この点検口４１は蓋板４１Ａで覆われている。
階段２１の下側空間２２のうち、換気ユニット本体１１の下方の空間、すなわち、トイレ１Ｆとして利用されない空間は、トイレ１Ｆ側から利用する収納スペース、またはデッドスペースとなっている。
【００２８】
換気ユニット本体１１に接続された外気供給配管１３の先端側に設けられた吹き出し口１６は、踊り場２１Ａの床板２１Ｂと、踊り場２１Ａより１段下側の段との間を略垂直につなぐ蹴込みとしての蹴込み板２３に取り付けられ、１階階段室１Ｈに開口している。吹き出し口１６には、図示しないフィルタやフィン等が内蔵され、また、吹き出す外気の風量調節用のシャッター装置等が備えられている。
換気ユニット本体１１に接続された内気回収配管１５は、換気ユニット本体１１から踊り場２１Ａの床板２１Ｂの下側を通って浴室１Ｅ側に延び、１階階段室１Ｈと浴室１Ｅとの仕切り壁内部を上方に浴室１Ｅの天井裏部分まで延びており、浴室１Ｅに開口する吸い込み口１７に接続されている。
【００２９】
換気ユニット本体１１の内部には、図示しない２台の送風機と全熱交換器１９が設けられている。
送風機は、電動モーターと、この電動モーターにより回転する多数の羽根とからなり、回転する羽根により発生する強制的な空気の流れを利用して、配管の内部の空気を強制的に移動させるものである。すなわち、外気導入配管１２から導入された外気を外気供給配管１３に向かって、あるいは、吸い込み口１７から回収された内気を内気排出配管１４に向かって強制的に移動させることができるものである。具体的には、特に図示しないが、羽根車の回転に伴って気体の遠心力を利用し、気体を圧送するターボファンと、このターボファンからの吹き出し流路を形成するケーシングとを備えているものである。
なお、２台の送風機のうちの一方は、外気を建物内部に導入する外気導入用の送風機であり、他方は、内気を屋外に排出するための内気排出用の送風機である。
【００３０】
全熱交換器１９は、吸い込み口１７から吸い込まれて回収され、内気排出配管１４を通じて屋外へ排出される内気と、外気導入配管１２から導入されて吹き出し口１６から１階階段室１Ｈへ供給される外気との間で熱交換を行うものである。
具体的には、熱伝導率が大きな金属や樹脂等からなるストロー状の極細薄肉円筒管を多数、配列した構造を有している。屋外に排出される内気と住宅１内部に供給される外気とのいずれか一方をストロー状の円筒管の内部を通過させ、他方をその円筒管の周囲を通過させることにより、屋外に排出される内気および住宅１内部に供給される外気のうち、温度が高い方の熱が薄肉円筒管を介して温度が低い方に伝えられることとなり、熱交換が行われる。
なお、全熱交換の方式は、上述した構造に限定されることなく、熱交換機能を有するものであれば、他の構造からなるものでもよい。
【００３１】
次に、本実施形態に係る換気ユニット１０の動作について説明する。
換気ユニット本体１１の２台の送風機を駆動させると、新鮮な外気は、外気導入配管１２を通じて換気ユニット本体１１に導入された後、外気供給配管１３を通じて吹き出し口１６から建物内部に供給される。
供給された外気は、吹き出し口１６が設けられた１階階段室１Ｈに連通された１階の各部屋および、２階階段室２Ｈを介して１階階段室１Ｈに連通された２階の各部屋に流れ込み、各部屋の内気と混合された後、その一部が各部屋に設けられた排気ファン１８を通じて屋外に排出される（図１〜図３中黒矢印で示す）。
【００３２】
一方、排気ファン１８から排出されなかった住宅１の内気は、その一部が吸い込み口１７を通じて換気ユニット本体１１に回収される（図１、図２中白矢印で示す）。回収された内気は、換気ユニット本体１１の全熱交換器によって、外気導入配管１２を通じて導入された外気と熱交換を行った後、屋外に排出される。すなわち、住宅１内部を暖房した状態において、吸い込み口１７から回収された暖かい内気は、熱交換により熱が吸収され、その吸収された熱は、屋外から導入された冷たい外気に加えられる。これにより、住宅１内部には、屋外より温度を上げられた外気が供給されることとなる。
一方、住宅１内部を冷房した状態において、屋外から導入された暖かい外気は、熱交換により熱が吸収され、この吸収された熱は、吸い込み口１７から回収された冷たい内気に加えられる。これにより、住宅１内部には、屋外より温度を下げられた外気が供給されることとなる。
【００３３】
したがって、本実施形態によれば、次のような効果が得られる。
（１）吹き出し口１６から供給された新鮮な外気は、住宅１内の各部屋に流れ込んだ後、吸い込み口１７または排気ファン１８に吸い込まれて排出されるから、風量が少なくとも、各部屋内の隅々までくまなく換気ができる。また、排気ファン１８によって各部屋の内気を個別に排出できるから、各部屋から換気ユニット本体１１までのダクトを省略でき、換気ユニット１０の設置コストを低減できる。
【００３４】
（２）換気ユニット本体１１を階段２１の下側空間に設置し、吹き出し口１６を１階階段室１Ｈに開口して設けたことにより、通常デッドスペースとなる階段２１の下側空間を有効に利用できるとともに、上下の階に連通する１階階段室１Ｈに外気を供給することで、上下の階の各部屋に効率よく外気を行き渡らせることができ、換気効率の向上を図ることができる。
【００３５】
（３）換気ユニット本体１１を踊り場２１Ａの床板２１Ｂの下側に収納し、踊り場２１Ａに開口する点検口４１を設けたことにより、踊り場２１Ａの下側は所定の平面的な広がりを有しているため換気ユニット本体１１を設置しやすいとともに、点検口４１の蓋板４１Ａを開けて踊り場２１Ａから点検できるので、換気ユニット本体１１の取り付けおよびメンテナンスが容易にできる。
【００３６】
（４）階段２１の蹴込み板２３に吹き出し口１６を設けたことにより、吹き出し口１６を壁面等に設置する場合と比較し、階段２１と一体的に目立たず設置できるとともに、階段２１の下側空間に収納された換気ユニット本体１１からの距離が短いので、外気供給配管１３の長さを短縮でき、配管をさらに節約できる。
【００３７】
（５）排気ファン１８を吸い込み口１７が設けられた部屋を除く全ての換気対象となる部屋に設けたので、吸い込み口１７または排気ファン１８によって部屋内の空気が確実に排出されるから、住宅１内の全ての部屋を確実に換気できる。
【００３８】
（６）吸い込み口１７から換気ユニット本体１１に回収された住宅１の内気と、外気導入配管１２を通じて導入された外気との間で熱交換を行うことにより、適切な温度に調節された外気を建物内に供給できるから、快適な居住空間を実現できる。
【００３９】
（７）吸い込み口１７を、浴室１Ｅ、すなわち、湯気の発生や居住者の呼気等により湿度が高い場所に設けたので、吸い込み口１７から回収される空気量を調節することにより高湿度な空間を容易に換気して、快適な居住空間を実現できる。
【００４０】
〔第２実施形態〕
次に、本発明の第２実施形態に係る換気構造について説明する。
第２実施形態では換気ユニット本体１１の設置位置が前述の第１実施形態の場合と異なるのみで、その他の構成は第１実施形態と同様である。
図６は、第２実施形態に係る換気構造の換気ユニット１０を示す斜視図である。
図６において、換気ユニット本体１１は、階段２１の踊り場２１Ａのうち、１段分高い側の床板２１Ｂの下側に収納されている。すなわち、階段２１の下側空間２２であるトイレ１Ｆの中で、通常、図示しない水洗用タンク等が置かれ、高い天井高を必要としない位置の上方に換気ユニット本体１１が収納されていることとなる。
【００４１】
換気ユニット本体１１に接続された外気供給配管１３の先端側に設けられた吹き出し口１６は、踊り場２１Ａの段差部分の蹴込み板２３に取り付けられ、１階階段室１Ｈに開口している。
換気ユニット本体１１に接続された内気回収配管１５は、踊り場２１Ａから２階に通じる階段２１の裏側、すなわち、トイレ１Ｆの傾斜した天井に沿って、トイレ１Ｆの天井裏部分まで延びており、トイレ１Ｆに開口する吸い込み口１７に接続されている。
【００４２】
したがって、本実施形態によれば、前述の第１実施形態の（１）〜（６）の効果に合わせて、次のような効果が得られる。
（８）　吸い込み口１７を、トイレ１Ｆ、すなわち、湿気やにおい等が発生する場所に設けたので、吸い込み口１７から回収される空気量を調節することにより湿気やにおいを容易に屋外に排出して、快適な居住空間を実現できる。
【００４３】
（９）　階段２１の下側空間２２であるトイレ１Ｆの中で、高い天井高を必要としない位置の上方に換気ユニット本体１１を収納したことにより、無駄なスペースが生じず、空間を有効に利用できる。
【００４４】
（１０）　階段２１の踊り場２１Ａのうち、１段分高い側の床板２１Ｂの下側に換気ユニット本体１１を収納したことにより、１段分低い側の踊り場２１Ａに立って換気ユニット本体１１のメンテナンスでき、作業を容易にできる。
【００４５】
〔第３実施形態〕
次に、本発明の第３実施形態に係る換気構造について説明する。
第３実施形態では換気ユニット本体１１の設置位置が前述の第１、第２実施形態の場合と異なるのみで、その他の構成は第１、第２実施形態と同様である。
図７は、第３実施形態に係る換気構造の換気ユニット１０を示す斜視図である。
図７において、階段２１の下側空間２２は、第１の下側空間と第２の下側空間とに仕切られている。すなわち、階段２１のうちの１階から踊り場２１Ａまでの段部および１段分低い側の踊り場２１Ａの下側が第１の下側空間としての収納空間２２Ａとされ、その他の部分が第２の下側空間としてのトイレ１Ｆとされている。
換気ユニット本体１１は、収納空間２２Ａに収納されており、収納空間２２Ａおよびトイレ１Ｆの仕切り壁には点検口５１が設けられている。この点検口５１には、トイレ１Ｆ側から開閉可能に、図示しない開閉蓋が取り付けられている。
【００４６】
換気ユニット本体１１に接続された外気供給配管１３の先端側に設けられた吹き出し口１６は、踊り場２１Ａの段差部分の蹴込み板に取り付けられ、１階階段室１Ｈに開口している。
換気ユニット本体１１に接続された内気回収配管１５は、換気ユニット本体１１から踊り場２１Ａの下側を通って浴室１Ｅ側に延び、１階階段室１Ｈと浴室１Ｅとの仕切り壁内部を上方に浴室１Ｅの天井裏部分まで延びており、浴室１Ｅに開口する吸い込み口１７に接続されている。
【００４７】
したがって、本実施形態によれば、前述の第１実施形態の（１）、（２）および（４）〜（７）の効果に合わせて、次のような効果が得られる。
（１１）　階段２１の下側空間２２を仕切って、一方に換気ユニット本体１１を収納し、他方側に開口する点検口５１を設けたことにより、換気ユニット本体１１を収納する空間以外の空間をトイレ１Ｆとして有効に利用できるとともに、トイレ１Ｆから換気ユニット本体を点検することで、メンテナンスがより容易にできる。
【００４８】
なお、本発明は前記実施形態に限定されるものではなく、本発明の目的を達成できる範囲での変形、改良等は本発明に含まれるものである。
例えば、前述の各実施形態では、建物を２階建の住宅１としたが、これに限らず、３階以上の階数を有するものでもよく、また、住宅に限らず、事務所用や店舗用に建築された建物等でもよい。
【００４９】
また、前述の各実施形態では、換気ユニット本体１１内に２台の送風機を設けたが、これに限らず、１台の送風機を設けてもよく、また、３台以上の送風機を設けてもよく、換気ユニット本体１１の具体的な構成は、実施にあたり適宜選択することができる。
【００５０】
また、前述の各実施形態では、吹き出し口１６を１階階段室１Ｈに設けたが、これに限らず、２階階段室２Ｈに設けてもよい。
また、吸い込み口１７を、前述の第１、第３実施形態では浴室１Ｅに設け、第２実施形態ではトイレ１Ｆに設けたが、これに限らず、キッチン１Ｂ、洗面所１Ｄ、リビング・ダイニングルーム１Ａ等に設けてもよい。
【００５１】
また、前述の各実施形態では、内気回収口としての吸い込み口１７を浴室１Ｅやトイレ１Ｆに開口して設け、内気回収配管１５によって換気ユニット本体１１と接続するものとしたが、これに限らず、換気ユニット本体に直接内気回収口を設け、換気ユニット本体を収納する階段の下側空間と隣接するトイレ等の空間に、内気回収口を開口するものでもよい。
【００５２】
また、前述の各実施形態では、換気ユニット本体１１と外気供給口としての吹き出し口１６を外気供給配管１３で接続したが、これに限らず、換気ユニット本体に直接外気供給口を設け、この外気供給口を階段室等に開口するものでもよい。
【００５３】
また、吸い込み口に内気排出量を調節できるシャッター装置等を設置することや、換気ユニット本体に回収された内気の一部を外気供給口から再び屋内へ環流させる分岐路等を備え、この内気の環流量を分岐弁等を制御して調節できる環流装置を設置することにより、熱エネルギーのロスを抑制し空調負荷を低減することができる。
【００５４】
また、前述の各実施形態において、換気ユニット１０は、その運転を手動で調節するものであってもよいし、自動で調節する自動制御機能を備えたものであってもよい。
さらに、前述の各実施形態の換気ユニット１０は、換気機能のみならず、冷房機能や暖房機能、空気調整機能、消臭・脱臭機能、香り空調機能、防塵・防花粉機能等を併せ持ったものであってもよい。
【００５５】
【発明の効果】
本発明の換気構造によれば、次のような効果が得られる。
請求項１に記載の換気構造によれば、外気供給路から供給された新鮮な外気は、建物内の各部屋に流れ込んだ後、内気回収路または個別排気路に吸い込まれて排出されるから、風量が少なくとも、各部屋内の隅々までくまなく換気ができるとともに、個別排出路が設けられた部屋の内気の一部が個別に排出されるので、各部屋から換気ユニット本体までのダクトを省略し、換気構造の設置コストを低減することができる。
また、換気ユニット本体を階段の下側空間に設置し、外気供給口を階段の上側空間に開口して設けたことにより、通常デッドスペースとなる階段の下側空間を有効に利用できるとともに、上下の階に連通する階段室に外気を供給することで、上下の階の各部屋に効率よく外気を行き渡らせることができ、換気効率の向上を図ることができる。
【００５６】
請求項２に記載の換気構造によれば、個別排出路を内気回収口が設けられた部屋を除く全ての換気対象となる部屋に設けたので、内気回収路または個別排出路によって部屋の内気が確実に排出されるから、換気対象となる全ての部屋を確実に換気できる。
【００５７】
請求項３に記載の換気構造によれば、換気ユニット本体を踊り場の下側に収納し、踊り場に開口する点検口を設けたことにより、踊り場の下側は所定の平面的な広がりを有しているため換気ユニット本体を設置しやすいとともに、踊り場から点検できるので、換気ユニット本体の取り付けおよびメンテナンスが容易にできる。
【００５８】
請求項４に記載の換気構造によれば、階段の下側空間を仕切って、一方に換気ユニット本体を収納し、他方側に開口する点検口を設けたことにより、換気ユニット本体を収納する空間以外の空間をトイレや収納空間として有効に利用できるとともに、この空間から換気ユニット本体を点検することで、メンテナンスがさらに容易にできる。
【００５９】
請求項５に記載の換気構造によれば、階段の蹴込みに外気供給口を設けたことにより、外気供給口を壁面等に設置する場合と比較し、階段と一体的に目立たず設置できるとともに、階段の下側空間に収納された換気ユニット本体からの距離が短いので、外気供給路の長さを短縮でき、配管をさらに節約できる。
【００６０】
請求項６に記載の換気構造によれば、内気回収口を、浴室、トイレ、洗面所、キッチン、リビングのうちのいずれか、すなわち、湯気の発生や居住者の呼気等により湿度が高い場所に設けたので、内気回収路を通じて回収される空気の量を調節することによって高湿度な空間を容易に換気して、快適な居住空間を実現できる。
【００６１】
請求項７に記載の換気構造によれば、内気回収路を通じて換気ユニット本体に回収された内気と、外気導入路を通じて導入された外気との間で熱交換を行うことにより、適切な温度に調節された外気を建物内に供給できるから、快適な居住空間を実現できる。
【図面の簡単な説明】
【図１】本発明の第１実施形態に係る換気構造が適用された建物を示す断面図である。
【図２】前記実施形態に係る建物の１階部分の平面図である。
【図３】前記実施形態に係る建物の２階部分の平面図である。
【図４】前記実施形態に係る換気ユニットの設置状態を示す階段の斜視図である。
【図５】前記実施形態に係る吹き出し口を拡大して示す断面図である。
【図６】本発明の第２実施形態に係る換気ユニットの斜視図である。
【図７】本発明の第３実施形態に係る換気ユニットの斜視図である。
【図８】従来例に係るセントラル換気方式が適用された建物を示す概略模式図である。
【符号の説明】
１　　住宅（建物）
１Ａ　　リビング・ダイニングルーム
１Ｂ　　キッチン
１Ｄ　　洗面所
１Ｅ　　浴室
１Ｆ　　トイレ（第２の下側空間）
１Ｈ　　１階階段室（上側空間）
１０　　換気ユニット
１１　　換気ユニット本体
１２　　外気導入開口（外気導入路）
１３　　外気供給配管（外気供給路）
１４　　内気排出開口（内気排出路）
１５　　内気回収開口（内気回収路）
１６　　吹き出し口（外気供給口）
１７　　吸い込み口（内気回収口）
１８　　排気ファン（個別排出路）
１９　　全熱交換器（熱交換機能）
２２　　下側空間
２２Ａ　　収納空間（第１の下側空間）
２３　　蹴込み板（蹴込み）
４１，５１　　点検口
【図１】
2004076993.tif 000003
【図２】
2004076993.tif 000004
【図３】
2004076993.tif 000005
【図４】
2004076993.tif 000006
【図５】
2004076993.tif 000007
【図６】
2004076993.tif 000008
【図７】
2004076993.tif 000009
【図８】
2004076993.tif 000010